【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
年鑑システムであって、
ユーザコンポーネントであって、該ユーザコンポーネントを介して、ユーザが年鑑を設計し、作成し得、該ユーザコンポーネントは、ユーザインターフェースと、ユーザ特有のコンテンツと、情報コンテンツとを含み、該ユーザコンポーネントは、
完成された年鑑ページと、進行中の年鑑ページと、未開始の年鑑ページとを仮想的に見るための、仮想的な年鑑と、
該年鑑の各ページの画像を含む計画ラダーであって、各ページに関する情報は、該ページの該画像に関連付けられ、該情報は、該ページについて責任を有する該ユーザの名前を少なくとも含む、計画ラダーと、
該年鑑の各ページの画像を含む構築ラダーであって、各ページに関する情報は、該ページの該画像に関連付けられ、該情報は、ページデッドラインおよび最終編集を少なくとも含む、構築ラダーと
をさらに含む、ユーザコンポーネントと、
制作コンポーネントであって、該制作コンポーネントを介して、年鑑が印刷出力に変換される、制作コンポーネントと
を備え、
該ユーザコンポーネントを介して制作コンポーネントに対して提出がなされ、かつ該制作コンポーネントが該提出に関して該ユーザコンポーネントと通信し得るように、該ユーザコンポーネントと該制作コンポーネントとが相互作用をする、年鑑システム。
【請求項２】
前記ユーザコンポーネントは、年鑑を計画するためのツールと、年鑑を作成するためのツールと、年鑑を販売するためのツールと、年鑑を配布するためのツールとを含む、請求項１に記載の年鑑システム。
【請求項３】
前記ユーザコンポーネントは、完成へと向かう年鑑の進捗の視覚的表現を含む、請求項１に記載の年鑑システム。
【請求項４】
前記ユーザコンポーネントは、コミュニティメンバーから提出された写真を受け入れる写真提出コンポーネントを含む、請求項１に記載の年鑑システム。
【請求項５】
前記ユーザコンポーネントは、アドバイザが一つのレベルにおいて情報にアクセスし得、かつスタッフが別のレベルにおいて情報にアクセスし得るように、少なくとも２つのアクセスレベルを備える、請求項１に記載の年鑑システム。
【請求項６】
前記ユーザコンポーネントは、ポートレートページおよびアクティビティページを計画し、開発するために使用され得る、請求項１に記載の年鑑システム。
【請求項７】
前記ユーザコンポーネントは、前記年鑑における生徒のカバレッジを追跡するためのカバレッジ情報を含む、請求項１に記載の年鑑システム。
【請求項８】
前記制作コンポーネントは、提出の不適切さと、該提出の修正および再提出を要求することとに関して、前記ユーザコンポーネントと通信するように設計されている、請求項１に記載の年鑑システム。
【請求項９】
前記制作コンポーネントは、年鑑システム管理コンポーネントと、年鑑制作システムコンポーネントとを備える、請求項１に記載の年鑑システム。
【請求項１０】
前記年鑑システム管理コンポーネントは、年鑑作成の間に前記ユーザと通信するように設計されている、請求項９に記載の年鑑システム。
【請求項１１】
前記制作コンポーネントは、入力情報を格納する、請求項１に記載の年鑑システム。
【請求項１２】
前記制作コンポーネントは、年鑑サーバと制作サーバとを備える、請求項１に記載の年鑑システム。
【請求項１３】
前記システムは、学校と、学校コミュニティと、販売部隊と、顧客サポートと、製造と相互作用するように構成されている、請求項１に記載の年鑑システム。
【請求項１４】
前記ユーザコンポーネントは、ユーザがデスクトップパブリッシングアプリケーションを使用して前記年鑑を作成することを可能にする、請求項１に記載の年鑑システム。
【請求項１５】
前記ユーザコンポーネントは、ユーザがオンライン作成ツールを使用して前記年鑑を作成することを可能にする、請求項１に記載の年鑑システム。
【請求項１６】
年鑑を作成する方法であって、該方法は、
ユーザが該年鑑を計画することであって、該ユーザが該年鑑を計画することは、
計画ラダーに計画セクションを組み込むことであって、該計画ラダーは、該年鑑の各ページの画像を含み、各ページに関する情報は、該ページの該画像に関連付けられ、該情報は、該ページについて責任を有する該ユーザの名前を少なくとも含む、ことと、
構築ラダーにセクションを組み込むことであって、該構築ラダーは、該年鑑の各ページの画像を含み、各ページに関する情報は、該ページの該画像に関連付けられ、該情報は、ページデッドラインおよび最終編集を少なくとも含む、ことと
を含む、ことと、
ユーザが該年鑑を開発することと、
ユーザが該年鑑の完成した部分を提出することと、
プロダクションが該年鑑の提出された部分をレビューすることと、
プロダクションが該年鑑の該提出された部分に関してユーザに通信することと、
プロダクションが該年鑑の該提出された部分を印刷出力に変換することと
を包含する、方法。
【請求項１７】
前記ユーザが前記年鑑を計画することは、カバーと、ポートレートページと、アクティビティページとを含む該年鑑の各部分をユーザが計画することを包含する、請求項１６に記載の方法。
【請求項１８】
前記ユーザが前記年鑑を開発することは、該ユーザが該年鑑を計画する間にレイアウトされた各ページを開発することを包含する、請求項１７に記載の方法。
【請求項１９】
ユーザが写真を提出することをさらに包含する、請求項１６に記載の方法。
【請求項２０】
プロダクションが前記提出された写真をスキャニングすることをさらに包含する、請求項１９に記載の方法。
【請求項２１】
プロダクションが前記年鑑の完成した部分についてポストスクリプトファイルを作成することをさらに包含する、請求項１６に記載の方法。
【請求項２２】
年鑑システムであって、
ユーザコンポーネントであって、該ユーザコンポーネントを介して、ユーザが年鑑を設計し、作成し得、該ユーザコンポーネントは、ユーザインターフェースと、ユーザ特有のコンテンツと、情報コンテンツとを含み、該ユーザコンポーネントは、
該年鑑の各ページの画像を含む計画ラダーであって、各ページに関する情報は、該ページの該画像に関連付けられ、該情報は、該ページについて責任を有する該ユーザの名前を少なくとも含む、計画ラダーと、
該年鑑の各ページの画像を含む構築ラダーであって、各ページに関する情報は、該ページの該画像に関連付けられ、該情報は、ページデッドラインおよび最終編集を少なくとも含む、構築ラダーと、
を含む、ユーザコンポーネントと、
制作コンポーネントであって、該制作コンポーネントを介して、該年鑑が印刷出力に変換される、制作コンポーネントと
を備え、
該ユーザコンポーネントを介して制作コンポーネントに対して提出がなされ、かつ該制作コンポーネントが該提出に関して該ユーザコンポーネントと通信し得るように、該ユーザコンポーネントと該制作コンポーネントとが相互作用をする、年鑑システム。
【請求項２３】
年鑑システムであって、
ユーザコンポーネントであって、該ユーザコンポーネントを介して、ユーザが年鑑を設計し、作成し得、該ユーザコンポーネントは、ユーザインターフェースと、ユーザ特有のコンテンツと、情報コンテンツとを含み、該ユーザコンポーネントは、
各ページの画像を含む計画ラダーと、
各ページの画像を含む構築ラダーと
を含む、ユーザコンポーネントと、
制作コンポーネントであって、該制作コンポーネントを介して、該年鑑が印刷出力に変換される、制作コンポーネントと
を備え、
該ユーザコンポーネントを介して制作コンポーネントに対して提出がなされ、かつ該制作コンポーネントが該提出における任意の不備について該ユーザコンポーネントに通知し、該ユーザコンポーネントが該提出の不備を補正し、再提出することができるように、該ユーザコンポーネントと該制作コンポーネントとが相互作用をする、年鑑システム。
【請求項２４】
前記ページに関する情報は、該ページの画像に関連付けられる、請求項２３に記載の年鑑システム。
【請求項２５】
前記情報は、セクション、記載、デッドライン、スタッフ、ページタイプ、またはテンプレートを含む、請求項２４に記載の年鑑システム。